【事件の表示】
　特願２００５−１６３９５７「電子装置の駆動方法、電子装置及び電子機器。」拒絶査定不服審判事件〔平成１７年１１月２４日出願公開、特開２００５−３２６８６５〕について、次のとおり審決する。
【結　論】
　本件審判の請求は、成り立たない。
【理　由】
１　手続の経緯
　本件は、平成１４年１２月１６日に出願した特願２００２−３６３８６２号の一部を平成１７年６月３日に新たな特許出願（特願２００５−１６３９５７号。以下、「本件出願」という。）としたものであって、平成１８年７月１１日付け（発送日：同年７月１８日）で拒絶査定がなされ、これに対して、同年８月８日に拒絶査定不服審判が請求されるとともに、同年９月６日付けで明細書を補正対象とする手続補正書が提出されたものである。
　
２　平成１８年９月６日付け手続補正についての補正却下の決定
　
［補正却下の決定の結論］
　平成１８年９月６日付けの手続補正を却下する。
　
［理由］
（１）補正の内容
　平成１８年９月６日提出の手続補正（以下、「本件補正」という。）は、補正前の特許請求の範囲の請求項１の記載
「【請求項１】
　複数の第１の信号線と、複数の第２の信号線と、前記複数の第１の信号線と前記複数の第２の信号線との交差部に対応して配置された複数の単位回路と、を備えた電子装置の駆動方法であって、
　前記複数の単位回路のうち、前記複数の第１の信号線のうちの第１の第１の信号線に接続された第１群の単位回路に対してセット動作を行う第１のステップと、
　前記複数の単位回路のうち、前記複数の第１の信号線のうちの前記第１の第１の信号線とは異なる第２の第１の信号線に接続された第２群の単位回路に対してリセット動作を行う第２のステップと、
　前記複数の単位回路のうち、前記複数の第１の信号線のうちの第３の第１の信号線に接続された第３群の単位回路に対してセット動作を行う第３のステップと、
　前記複数の単位回路のうち、前記複数の第１の信号線のうちの前記第３の第１の信号線とは異なる第４の第１の信号線に接続された第４群の単位回路に対してリセット動作を行う第４のステップと、を含み、
　前記第１のステップの終了後から前記第２のステップを行うまでの間、前記複数の単位回路のいずれの単位回路に対してもセット動作又はリセット動作を行わず、
　前記第２のステップの終了後から前記第３のステップを行うまでの間、前記複数の単位回路のいずれに対してもセット動作又はリセット動作を行わず、
　前記第３のステップの終了後から前記第４のステップを行うまでの間、前記複数の単位回路のいずれに対してもセット動作又はリセット動作を行わないこと、
　を特徴とする電子装置の駆動方法。」
　を、
「【請求項１】
　複数の第１の信号線と、複数の第２の信号線と、前記複数の第１の信号線と前記複数の第２の信号線との交差部に対応して配置された複数の単位回路と、を備えた電子装置の駆動方法であって、
　前記複数の単位回路のうち、前記複数の第１の信号線のうちの第１の第１の信号線に接続された第１群の単位回路に対してセット動作を行う第１のステップと、
　前記複数の単位回路のうち、前記複数の第１の信号線のうちの前記第１の第１の信号線とは異なる第２の第１の信号線に接続された第２群の単位回路に対してリセット動作を行う第２のステップと、
　前記複数の単位回路のうち、前記複数の第１の信号線のうちの第３の第１の信号線に接続された第３群の単位回路に対してセット動作を行う第３のステップと、
　前記複数の単位回路のうち、前記複数の第１の信号線のうちの前記第３の第１の信号線とは異なる第４の第１の信号線に接続された第４群の単位回路に対してリセット動作を行う第４のステップと、を含み、
　前記第１のステップの終了後から前記第２のステップを行うまでの間、前記複数の単位回路のいずれの単位回路に対してもセット動作又はリセット動作を行わず、
　前記第２のステップの終了後から前記第３のステップを行うまでの間、前記複数の単位回路のいずれに対してもセット動作又はリセット動作を行わず、
　前記第３のステップの終了後から前記第４のステップを行うまでの間、前記複数の単位回路のいずれに対してもセット動作又はリセット動作を行わず、
　前記複数の単位回路の全てに前記複数の第２の信号線を介してデータ信号を供給する１フレーム期間内に、前記複数の第１の信号線の各々を少なくとも２回選択し、
　前記１フレーム期間における前記第１の第１の信号線の少なくとも２回の選択のうち最初の前記第１の第１の信号線の選択は、前記第１のステップのために行われ、
　前記１フレーム期間における前記第２の第１の信号線の少なくとも２回の選択のうち最初の前記第２の第１の信号線の選択は、前記第２のステップのために行われ、
　前記１フレーム期間における前記第３の第１の信号線の少なくとも２回の選択のうち最初の前記第３の第１の信号線の選択は、前記３のステップのために行われ、
　前記１フレーム期間における前記第４の第１の信号線の少なくとも２回の選択のうち最初の前記第４の第１の信号線の選択は、前記第４のステップのために行われること、
　を特徴とする電子装置の駆動方法。」
　と補正する内容を含むものである。
　
（２）補正の目的の適合性
　上記補正の内容は、補正前の請求項１に記載された発明特定事項にさらに、「前記複数の単位回路の全てに前記複数の第２の信号線を介してデータ信号を供給する１フレーム期間内に、前記複数の第１の信号線の各々を少なくとも２回選択し、　前記１フレーム期間における前記第１の第１の信号線の少なくとも２回の選択のうち最初の前記第１の第１の信号線の選択は、前記第１のステップのために行われ、　前記１フレーム期間における前記第２の第１の信号線の少なくとも２回の選択のうち最初の前記第２の第１の信号線の選択は、前記第２のステップのために行われ、　前記１フレーム期間における前記第３の第１の信号線の少なくとも２回の選択のうち最初の前記第３の第１の信号線の選択は、前記３のステップのために行われ、　前記１フレーム期間における前記第４の第１の信号線の少なくとも２回の選択のうち最初の前記第４の第１の信号線の選択は、前記第４のステップのために行われること」との限定事項を加えるものであるから、平成１８年改正前特許法第１７条の２第４項第２号の特許請求の範囲の減縮を目的とするものに該当する。
　
（３）独立特許要件
　本件補正後の請求項１に係る発明は、平成１８年９月６日付け手続補正書より補正された明細書及び図面の記載からみて、次のとおりである。　
「【請求項１】
　複数の第１の信号線と、複数の第２の信号線と、前記複数の第１の信号線と前記複数の第２の信号線との交差部に対応して配置された複数の単位回路と、を備えた電子装置の駆動方法であって、
　前記複数の単位回路のうち、前記複数の第１の信号線のうちの第１の第１の信号線に接続された第１群の単位回路に対してセット動作を行う第１のステップと、
　前記複数の単位回路のうち、前記複数の第１の信号線のうちの前記第１の第１の信号線とは異なる第２の第１の信号線に接続された第２群の単位回路に対してリセット動作を行う第２のステップと、
　前記複数の単位回路のうち、前記複数の第１の信号線のうちの第３の第１の信号線に接続された第３群の単位回路に対してセット動作を行う第３のステップと、
　前記複数の単位回路のうち、前記複数の第１の信号線のうちの前記第３の第１の信号線とは異なる第４の第１の信号線に接続された第４群の単位回路に対してリセット動作を行う第４のステップと、を含み、
　前記第１のステップの終了後から前記第２のステップを行うまでの間、前記複数の単位回路のいずれの単位回路に対してもセット動作又はリセット動作を行わず、
　前記第２のステップの終了後から前記第３のステップを行うまでの間、前記複数の単位回路のいずれに対してもセット動作又はリセット動作を行わず、
　前記第３のステップの終了後から前記第４のステップを行うまでの間、前記複数の単位回路のいずれに対してもセット動作又はリセット動作を行わず、
　前記複数の単位回路の全てに前記複数の第２の信号線を介してデータ信号を供給する１フレーム期間内に、前記複数の第１の信号線の各々を少なくとも２回選択し、
　前記１フレーム期間における前記第１の第１の信号線の少なくとも２回の選択のうち最初の前記第１の第１の信号線の選択は、前記第１のステップのために行われ、
　前記１フレーム期間における前記第２の第１の信号線の少なくとも２回の選択のうち最初の前記第２の第１の信号線の選択は、前記第２のステップのために行われ、
　前記１フレーム期間における前記第３の第１の信号線の少なくとも２回の選択のうち最初の前記第３の第１の信号線の選択は、前記
第
　前記１フレーム期間における前記第４の第１の信号線の少なくとも２回の選択のうち最初の前記第４の第１の信号線の選択は、前記第４のステップのために行われること、
　を特徴とする電子装置の駆動方法。」（以下、「本件補正発明」という。）　なお、請求項１の第２７行目の「前記３のステップ」は、「前記第３のステップ」の誤記であると認められるので、上記のように請求項１に係る発明を認定した。また、下線は、このことを示すために合議体が付したものである。
　
　そこで、本件補正発明が、特許出願の際独立して特許を受けることができるものであるか（平成１８年改正前特許法第１７条の２第５項において準用する同法第１２６条第５項の規定に適合するか）について、以下検討する。
　
（４）刊行物に記載された発明
　本願の原出願の出願前に頒布された刊行物である特開平７−１４０９３３号公報（以下、「刊行物１」という。）には、図面とともに次の事項が記載されている。
ア「【請求項１】  液晶よりなる各画素にスイッチング素子として薄膜トランジスタを接続してなり、前記薄膜トランジスタのゲート電極を走査線に接続し、ソースまたはドレイン電極をデータ線に接続してなるアクティブマトリックス型液晶表示装置のインタレース方式の駆動方法において、
フレーム周期内の任意の周期で、薄膜トランジスタへのゲート信号をハイレベルとしてオン状態とするとともに、同時にオン状態とされた前記薄膜トランジスタにデータ線からリセット信号または所定電圧レベルの信号を印加することを特徴とする、液晶表示装置の駆動方法。」
　
イ「【０００２】
【従来の技術】図６は、従来より周知の一般的なアクティブマトリックス型液晶表示装置の等価回路を示す図である。
【０００３】この液晶表示装置では、画素１がｎ×ｍ（ｎ，ｍは整数）のマトリックス状に配置されており、各画素にスイッチング素子としての薄膜トランジスタ（以下、ＴＦＴ）２が接続されている。なお、図６において、３は対向電極を、４は補助蓄積容量を示す。
【０００４】マトリックス状に配置されているＴＦＴのゲート電極は、走査線Ｘ1 〜Ｘn に接続されており、該走査線Ｘ1 〜Ｘn はゲートドライバ５に接続されている。ゲートドライバ５は、シフトレジスタ及び出力バッファーを有し、必要に応じてさらにラッチを有する。
【０００５】他方、各ＴＦＴのドレイン電極に、データ線Ｙ1 〜Ｙm が接続されている。データ線Ｙ1 〜Ｙm は、ドレインドライバ６に接続されている。ドレインドライバ６は、シフトレジスタ、サンプルホールド回路及び出力バッファーを有する。
【０００６】上記液晶表示装置は、通常、線順次駆動と称されている方法で駆動される。すなわち、ゲートドライバ５から何れかの走査線にハイレベルのゲート信号を与え、横１行の走査線上のすべてのＴＦＴ２を同時にオン状態とし、その状態でオン状態とされたＴＦＴ２に、ドレインドライバ６から所定のデータ（信号電圧）を書き込むことにより駆動されている。
【０００７】上記液晶表示装置の駆動原理を、以下においてより詳細に説明する。
（１）まず、ゲートドライバ５により、データ線Ｘ1 〜Ｘm に順次ゲートパルス電圧を印加し、行毎に各行に接続されたＴＦＴ２をオン状態とする。
【０００８】（２）列側では、ドレインドライバ６から所定の周期でサンプリングされた信号電圧が、ラインメモリにホールドされている。
（３）ゲートパルス電圧の印加に同期させて（実際はゲート遅延を考慮し位相をシフトさせている）、信号電圧を上記ラインメモリからデータ線Ｙ1 〜Ｙm に供給する。
【０００９】（４）ラインメモリからデータ線に供給された信号は、ゲートパルス電圧が印加された走査線上にある画素、すなわち、選択された走査線とデータ線との交点にある画素のみに書き込まれる。
【００１０】（５）画素には電気容量が設けられており、信号電圧は、この容量に蓄積される。この容量は、画素電極と対向電極３と液晶材料とで構成されるが、図６に示されているように、この液晶の静電容量と並列に補助蓄積容量４を設けることが多い。」
　
ウ「【００３０】
【実施例の説明】図１は、本発明の一実施例により駆動されるアクティブマトリックス型の液晶表示装置を説明するためのブロック図である。液晶表示パネル１１上には、図６に示した液晶表示装置と同様に、ｎ×ｍのマトリックス状に画素が配置されており、かつ各画素にスイッチング素子としてのＴＦＴが接続されている。そして、ゲートドライバ５Ａ，５Ｂには、ｎ本の走査線が接続されており、各走査線にその行の画素に接続されたＴＦＴのゲート電極が接続されている。同様に、ドレインドライバ６Ａ，６Ｂには、ｎ本のデータ線が接続されており、各データ線には、その列のＴＦＴのドレイン電極が接続されている。
【００３１】上記ゲートドライバ５Ａ，５Ｂ及びドレインドライバ６Ａ，６Ｂは、前述した従来より公知のゲートドライバ５及びドレインドライバ６と同様に構成されている。
【００３２】本実施例の駆動方法は、図１のブロック図において、任意の周期及びタイミングで発生するリセット信号によりゲートドライバ５Ａ，５Ｂの特定の出力をハイレベルとし、選択された行のすべてのＴＦＴをオン状態とするとともに、一定レベルの電圧信号すなわちリセットデータ信号をドレインドライバ６Ａ，６Ｂから液晶表示パネル１１に供給する。すなわち、リセット信号及びリセットデータ信号を上記のように供給するために、ビデオ信号入力端とゲートドライバ５Ａ，５Ｂ及びドレインドライバ６Ａ，６Ｂ間に、インバータ１２及びスイッチング素子１３〜１６を接続した切り換え回路を有することに特徴を有し、その他の回路構成は従来より公知のアクティブマトリックス型の液晶表示装置と同様である。
【００３３】上記切り換え回路では、ビデオ信号入力端に、スイッチング素子１３，１５が接続されている。スイッチング素子１３，１５がオン状態とされた場合には、ビデオ信号がドレインドライバ６Ａ，６Ｂに与えられる。
【００３４】他方、リセット信号が供給されると、該リセット信号により、スイッチング素子１３及び１５が非導通状態とされ、ビデオ信号が遮断される。同時に、リセット信号がゲートドライバ５Ａ，５Ｂ及びドレインドライバ６Ａ，６Ｂに与えられるとともに、スイッチング素子１４，１６が導通状態とされ、一定電圧レベルのリセットデータ信号がドレインドライバ６Ａ，６Ｂに与えられる。
【００３５】次に、本発明の第１の実施例として、上記切り換え回路を有する回路構成において、ＨＤＴＶ映像信号をインタレース方式で駆動する場合につき説明する。本実施例では、上記リセット信号がフィールド周期毎に与えられ、フィールド周期毎に表示がリフレッシュされる。」
　
エ「【００４２】また、図４に示す第３の実施例では、正規の表示データを書き込む直前のタイミングで１ライン前の表示をリセットする。すなわち、各走査線Ｇ１〜Ｇ１０２４をオン状態とする直前にリセット信号を供給し、１ライン前の表示をリセットする。例えば、走査線Ｇ２がオン状態とされて書き込まれる直前に、１ライン前すなわち走査線Ｇ１に接続されている画素の表示がリセットされる。従って、各走査線Ｇ１〜Ｇ１０２４に正規の表示データが書き込まれる際には、常に表示がリセットされているため、上記第１の実施例の場合と同様に動画の残存現象をなくすことができ、かつ垂直解像度の低下も引き起こさない。」　
　
オ　図面の【図１】、【図６】には、ｎ本の走査線（Ｘ1〜Ｘn）と、ｍ本ののデータ（Ｙ1〜Ｙm）と、前記ｎ本の走査線（Ｘ1〜Ｘn）と前記ｍ本ののデータ（Ｙ1〜Ｙm）との交差した点に配置されたｎ×ｍ個の画素（１）と各画素に接続されているスイッチング素子としてのＴＦＴ（２）とを備えたアクティブマトリックス型液晶表示装置が見て取れる。
　
カ  図面の【図４】には、
　Ｎフレーム・奇数フィールドにおいて、
（ａ）Ｇ１の走査線を選択し、該走査線に接続された画素（１）に正規の表示データを書き込み、
（ｂ）次に、Ｇ２の走査線を選択し、該走査線に接続された画素（１）にリセット信号を供給し、
（ｃ）次に、Ｇ３の走査線を選択し、該走査線に接続された画素（１）に正規の表示データを書き込み、
（ｄ）次に、Ｇ２の走査線を選択し、該走査線に接続された画素（１）にリセット信号を供給するアクティブマトリックス型液晶表示装置マトリクス型液晶表示装置の駆動方法が見て取れる。
　
キ　図面の【図４】には、
　Ｎフレーム・奇数フィールドにおいて、
（ｅ）Ｇ１の走査線を選択した後、次にＧ２の走査線を選択し、
（ｆ）Ｇ２の走査線を選択した後、次にＧ３の走査線を選択し、
（ｇ）Ｇ３の走査線を選択した後、次にＧ４の走査線を選択し、
　順次、正規の表示データを書き込み、リセット信号を供給、正規の表示データを書き込みを繰り返してなるアクティブマトリックス型液晶表示装置の駆動方法が見て取れる。
　
　上記摘記事項ウ及びエ、図面の【図４】から、
（ｈ）１フレームを奇数フィールドと偶数フィールドで構成し、マトリクス状に配置された画素（１）に、ｍ本のデータ線（Ｙ1〜Ｙm）から正規の表示データ又はリセット信号をそれぞれ奇数フィールド又は偶数フィールドにおいて供給し、
（ｉ）１フレーム中の奇数フィールドにおけるＧ１の走査線の選択では、画素（１）に正規の表示データを書き込み、偶数フィールドにおけるＧ１の走査線の選択では、画素（１）にリセット信号を供給し、
（ｊ）１フレーム中の奇数フィールドにおけるＧ２の走査線の選択では、画素（１）にリセット信号を供給し、偶数フィールドにおけるＧ１の走査線の選択では、画素（１）に正規の表示データを書き込み、
（ｋ）１フレーム中の奇数フィールドにおけるＧ３の走査線の選択では、画素（１）に正規の表示データを書き込み、偶数フィールドにおけるＧ３の走査線の選択では、画素（１）にリセット信号を供給し、
（ｌ）１フレーム中の奇数フィールドにおけるＧ４の走査線の選択では、画素（１）にリセット信号を供給し、偶数フィールドにおけるＧ４の走査線の選択では、画素（１）に正規の表示データを書き込んでなるアクティブマトリックス型液晶表示装置の駆動方法が読み取れる。
　
　したがって、上記摘記事項ア〜エ及び図面の記載から、刊行物１には、以下の発明が記載されているものと認められる。　
「ｎ本の走査線（Ｘ1〜Ｘn）と、ｍ本ののデータ線（Ｙ1〜Ｙm）と、前記ｎ本の走査線（Ｘ1〜Ｘn）と前記ｍ本ののデータ線（Ｙ1〜Ｙm）との交差した点に配置されたｎ×ｍ個の画素（１）と各画素に接続されているスイッチング素子としてのＴＦＴ（２）とを備えたアクティブマトリックス型液晶表示装置の駆動方法であって、
　Ｎフレーム・奇数フィールドにおいて、
（ａ）Ｇ１の走査線を選択し、該走査線に接続された画素（１）に正規の表示データを書き込み、
（ｂ）次に、Ｇ２の走査線を選択し、該走査線に接続された画素（１）にリセット信号を供給し、
（ｃ）次に、Ｇ３の走査線を選択し、該走査線に接続された画素（１）に正規の表示データを書き込み、
（ｄ）次に、Ｇ２の走査線を選択し、該走査線に接続された画素（１）にリセット信号を供給し
（ｅ）Ｇ１の走査線を選択した後、次にＧ２の走査線を選択し、
（ｆ）Ｇ２の走査線を選択した後、次にＧ３の走査線を選択し、
（ｇ）Ｇ３の走査線を選択した後、次にＧ４の走査線を選択することにより、順次、正規の表示データの書き込みとリセット信号の供給、正規の表示データの書き込みとを繰り返し
（ｈ）１フレームを奇数フィールドと偶数フィールドで構成し、マトリクス状に配置された画素（１）に、ｍ本のデータ線（Ｙ1〜Ｙm）から正規の表示データ又はリセット信号をそれぞれ奇数フィールド又は偶数フィールドにおいて供給し、
（ｉ）１フレーム中の奇数フィールドにおけるＧ１の走査線の選択では、画素（１）に正規の表示データを書き込み、偶数フィールドにおけるＧ１の走査線の選択では、画素（１）にリセット信号を供給し、
（ｊ）１フレーム中の奇数フィールドにおけるＧ２の走査線の選択では、画素（１）にリセット信号を供給し、偶数フィールドにおけるＧ１の走査線の選択では、画素（１）に正規の表示データを書き込み、
（ｋ）１フレーム中の奇数フィールドにおけるＧ３の走査線の選択では、画素（１）に正規の表示データを書き込み、偶数フィールドにおけるＧ３の走査線の選択では、画素（１）にリセット信号を供給し、
（ｌ）１フレーム中の奇数フィールドにおけるＧ４の走査線の選択では、画素（１）にリセット信号を供給し、偶数フィールドにおけるＧ４の走査線の選択では、画素（１）に正規の表示データを書き込んでなるアクティブマトリックス型液晶表示装置の駆動方法。」（以下、「刊行物１に記載された発明」という。）
　
（５）対比
　本件補正発明と刊行物１に記載された発明とを対比すると、
（ア）刊行物１に記載された発明の「ｎ本の走査線（Ｘ1〜Ｘn）」は、本件補正発明の「複数の第１の信号線」に相当し、以下同様に「ｍ本ののデータ線（Ｙ1〜Ｙm）」は「複数の第２の信号線」に相当する。
　また、刊行物１に記載された発明の「アクティブマトリックス型液晶表示装置の駆動方法」は、本件補正発明の「電子装置の駆動方法」と、「装置の駆動方法」に関する点で一致する。
（イ）次に、上記摘記事項イの「【００１０】画素には電気容量が設けられており、信号電圧は、この容量に蓄積される。この容量は、画素電極と対向電極３と液晶材料とで構成されるが、図６に示されているように、この液晶の静電容量と並列に補助蓄積容量４を設けることが多い。」との記載を参酌するに、画素が、電気的な回路であることは明白であるので、刊行物１に記載された発明の「ｎ×ｍ個の画素（１）」は、本件補正発明の「複数の単位回路」に相当する。
　そして、本件補正発明の「セット動作」とは、表示データを書き込むための動作に他ならないことから、してみると、刊行物１に記載された発明の「画素（１）に正規の表示データを書き込み」は、本件補正発明の「単位回路に対してセット動作を行う」に相当する。
　また、同様に、刊行物１に記載された発明の「画素（１）にリセット信号を供給し」は、本件補正発明の「単位回路に対してリセット動作を行う」に相当する。
　よって、
（ウ）刊行物１に記載された発明の「（ａ）Ｇ１の走査線を選択し、該走査線に接続された画素（１）に正規の表示データを書き込み」は、本件補正発明の「前記複数の単位回路のうち、前記複数の第１の信号線のうちの第１の第１の信号線に接続された第１群の単位回路に対してセット動作を行う第１のステップ」に相当し、以下同様に「（ｂ）次に、Ｇ２の走査線を選択し、該走査線に接続された画素（１）にリセット信号を供給し」は、「前記複数の単位回路のうち、前記複数の第１の信号線のうちの前記第１の第１の信号線とは異なる第２の第１の信号線に接続された第２群の単位回路に対してリセット動作を行う第２のステップ」に、「（ｃ）次に、Ｇ３の走査線を選択し、該走査線に接続された画素（１）に正規の表示データを書き込み」は、「前記複数の単位回路のうち、前記複数の第１の信号線のうちの第３の第１の信号線に接続された第３群の単位回路に対してセット動作を行う第３のステップ」に、「（ｄ）次に、Ｇ２の走査線を選択し、該走査線に接続された画素（１）にリセット信号を供給し」は、「前記複数の単位回路のうち、前記複数の第１の信号線のうちの前記第３の第１の信号線とは異なる第４の第１の信号線に接続された第４群の単位回路に対してリセット動作を行う第４のステップ」にそれぞれ相当し、
（エ）刊行物１の【図４】から明らかなように、例えば、Ｇ１の走査線の選択と、次に選択されるＧ２の走査線の選択との間には、他の走査線に対して何らの選択も行われていないことから、刊行物１に記載された発明の「（ｅ）Ｇ１の走査線を選択した後、次にＧ２の走査線を選択し、（ｆ）Ｇ２の走査線を選択した後、次にＧ３の走査線を選択し、（ｇ）Ｇ３の走査線を選択した後、次にＧ４の走査線を選択することにより、順次、正規の表示データの書き込みとリセット信号の供給、正規の表示データの書き込みとを繰り返し」は、本件補正発明の「前記第１のステップの終了後から前記第２のステップを行うまでの間、前記複数の単位回路のいずれの単位回路に対してもセット動作又はリセット動作を行わず、　前記第２のステップの終了後から前記第３のステップを行うまでの間、前記複数の単位回路のいずれに対してもセット動作又はリセット動作を行わず、　前記第３のステップの終了後から前記第４のステップを行うまでの間、前記複数の単位回路のいずれに対してもセット動作又はリセット動作を行わず」に相当する。
（オ）刊行物１に記載された発明の「（ｈ）１フレームを奇数フィールドと偶数フィールドで構成し、マトリクス状に配置された画素（１）に、ｍ本のデータ線（Ｙ1〜Ｙm）から正規の表示データ又はリセット信号をそれぞれ奇数フィールド又は偶数フィールドにおいて供給し、（ｉ）１フレーム中の奇数フィールドにおけるＧ１の走査線の選択では、画素（１）に正規の表示データを書き込み、偶数フィールドにおけるＧ１の走査線の選択では、画素（１）にリセット信号を供給し、（ｊ）１フレーム中の奇数フィールドにおけるＧ２の走査線の選択では、画素（１）にリセット信号を供給し、偶数フィールドにおけるＧ１の走査線の選択では、画素（１）に正規の表示データを書き込み、（ｋ）１フレーム中の奇数フィールドにおけるＧ３の走査線の選択では、画素（１）に正規の表示データを書き込み、偶数フィールドにおけるＧ３の走査線の選択では、画素（１）にリセット信号を供給し、（ｌ）１フレーム中の奇数フィールドにおけるＧ４の走査線の選択では、画素（１）にリセット信号を供給し、偶数フィールドにおけるＧ４の走査線の選択では、画素（１）に正規の表示データを書き込んでなる」は、本件補正発明の「前記複数の単位回路の全てに前記複数の第２の信号線を介してデータ信号を供給する１フレーム期間内に、前記複数の第１の信号線の各々を少なくとも２回選択し、　前記１フレーム期間における前記第１の第１の信号線の少なくとも２回の選択のうち最初の前記第１の第１の信号線の選択は、前記第１のステップのために行われ、　前記１フレーム期間における前記第２の第１の信号線の少なくとも２回の選択のうち最初の前記第２の第１の信号線の選択は、前記第２のステップのために行われ、　前記１フレーム期間における前記第３の第１の信号線の少なくとも２回の選択のうち最初の前記第３の第１の信号線の選択は、前記
第
　
　したがって、本件補正発明と刊行物１に記載された発明とは、
＜一致点＞
「複数の第１の信号線と、複数の第２の信号線と、前記複数の第１の信号線と前記複数の第２の信号線との交差部に対応して配置された複数の単位回路と、を備えた装置の駆動方法であって、
　前記複数の単位回路のうち、前記複数の第１の信号線のうちの第１の第１の信号線に接続された第１群の単位回路に対してセット動作を行う第１のステップと、
　前記複数の単位回路のうち、前記複数の第１の信号線のうちの前記第１の第１の信号線とは異なる第２の第１の信号線に接続された第２群の単位回路に対してリセット動作を行う第２のステップと、
　前記複数の単位回路のうち、前記複数の第１の信号線のうちの第３の第１の信号線に接続された第３群の単位回路に対してセット動作を行う第３のステップと、
　前記複数の単位回路のうち、前記複数の第１の信号線のうちの前記第３の第１の信号線とは異なる第４の第１の信号線に接続された第４群の単位回路に対してリセット動作を行う第４のステップと、を含み、
　前記第１のステップの終了後から前記第２のステップを行うまでの間、前記複数の単位回路のいずれの単位回路に対してもセット動作又はリセット動作を行わず、
　前記第２のステップの終了後から前記第３のステップを行うまでの間、前記複数の単位回路のいずれに対してもセット動作又はリセット動作を行わず、
　前記第３のステップの終了後から前記第４のステップを行うまでの間、前記複数の単位回路のいずれに対してもセット動作又はリセット動作を行わず、
　前記複数の単位回路の全てに前記複数の第２の信号線を介してデータ信号を供給する１フレーム期間内に、前記複数の第１の信号線の各々を少なくとも２回選択し、
　前記１フレーム期間における前記第１の第１の信号線の少なくとも２回の選択のうち最初の前記第１の第１の信号線の選択は、前記第１のステップのために行われ、
　前記１フレーム期間における前記第２の第１の信号線の少なくとも２回の選択のうち最初の前記第２の第１の信号線の選択は、前記第２のステップのために行われ、
　前記１フレーム期間における前記第３の第１の信号線の少なくとも２回の選択のうち最初の前記第３の第１の信号線の選択は、前記
第
　前記１フレーム期間における前記第４の第１の信号線の少なくとも２回の選択のうち最初の前記第４の第１の信号線の選択は、前記第４のステップのために行われること、
　を特徴とする装置の駆動方法。」の点で一致し、以下の点で一応相違する。
　
＜一応の相違点＞
　本件補正発明の対象は、「電子装置の駆動方法」であるのに対して、刊行物１に記載された発明の対象は、「アクティブマトリックス型液晶表示装置の駆動方法」である点。
　
（６）判断
　上記一応の相違点について検討するに、「アクティブマトリックス型液晶表示装置」が、「電子装置」の一実施形態であることは明白である。してみると、上記一応の相違点は、実質的な相違点ではない。
　したがって、本件補正発明は、刊行物１に記載された発明である。
　
（７）独立特許要件についてのむすび
　したがって、本件補正発明は、刊行物１に記載された発明であるから，特許法第２９条第１項第３号に該当し、特許出願の際独立して特許を受けることができないものである。
　
（８）むすび
　以上のとおりであるから、本件補正は、平成１８年改正前特許法第１７条の２第５項において準用する同法第１２６条第５項の規定に違反するものであり、特許法第１５９条第１項において読み替えて準用する同法第５３条第１項の規定により却下すべきものである。
　
３　本願発明
　平成１８年９月６日付けの手続補正は上記のとおり却下されたので、本願の請求項１乃至３１に係る発明は、平成１８年５月２６日付け手続補正書の特許請求の範囲の請求項１乃至３１に記載された事項により特定されるとおりのものと認められるところ、その請求項１に記載された発明（以下「本願発明」という。）は、次のとおりである。
「【請求項１】
　複数の第１の信号線と、複数の第２の信号線と、前記複数の第１の信号線と前記複数の第２の信号線との交差部に対応して配置された複数の単位回路と、を備えた電子装置の駆動方法であって、
　前記複数の単位回路のうち、前記複数の第１の信号線のうちの第１の第１の信号線に接続された第１群の単位回路に対してセット動作を行う第１のステップと、
　前記複数の単位回路のうち、前記複数の第１の信号線のうちの前記第１の第１の信号線とは異なる第２の第１の信号線に接続された第２群の単位回路に対してリセット動作を行う第２のステップと、
　前記複数の単位回路のうち、前記複数の第１の信号線のうちの第３の第１の信号線に接続された第３群の単位回路に対してセット動作を行う第３のステップと、
　前記複数の単位回路のうち、前記複数の第１の信号線のうちの前記第３の第１の信号線とは異なる第４の第１の信号線に接続された第４群の単位回路に対してリセット動作を行う第４のステップと、を含み、
　前記第１のステップの終了後から前記第２のステップを行うまでの間、前記複数の単位回路のいずれの単位回路に対してもセット動作又はリセット動作を行わず、
　前記第２のステップの終了後から前記第３のステップを行うまでの間、前記複数の単位回路のいずれに対してもセット動作又はリセット動作を行わず、
　前記第３のステップの終了後から前記第４のステップを行うまでの間、前記複数の単位回路のいずれに対してもセット動作又はリセット動作を行わないこと、
　を特徴とする電子装置の駆動方法。」
　
４　刊行物に記載された発明
　原査定の拒絶の理由で引用され、本願の原出願の出願前である平成１４年６月２１日に頒布された刊行物である特開２００２−１７５０４７号公報（以下、「刊行物２」という。）には、図面とともに次の事項が記載されている。
（１）「【請求項１】  走査線とデータ線との交点に対応して、電気光学素子と、この電気光学素子を駆動するドライビングトランジスタと、このドライビングトランジスタを制御するスイッチングトランジスタと、を備えた電気光学装置の駆動方法であって、
第１のオン信号を前記走査線を介して前記スイッチングトランジスタに与え、前記第１のオン信号を与える期間に対応して前記ドライビングトランジスタの導通または非導通を選択するセット信号を前記データ線及び前記スイッチングトランジスタを介して前記ドライビングトランジスタに与えるセットステップと、
第２のオン信号を前記走査線を介して前記スイッチングトランジスタに与え、前記第２のオン信号を与える期間に対応して前記ドライビングトランジスタを非導通とするリセット信号を前記データ線及び前記スイッチングトランジスタを介して前記ドライビングトランジスタに与えるリセットステップと、
を含むことを特徴とする電気光学装置の駆動方法。
【請求項２】  請求項１に記載の電気光学装置の駆動方法において、
水平走査期間は前記セットステップを行うための第１の副水平走査期間と、前記リセットステップを行うための第２の副水平走査期間と、を含むこと、
を特徴とする電気光学装置の駆動方法。」
　
（２）「【００２５】本発明の実施例に係る電気光学装置の画素等価回路を図１に示す。ここでは、電気光学素子として発光素子を用いた。走査線（Ｓ１）、データ線（Ｄ１）及び電源線（Ｖ）が形成され、走査線（Ｓ１）とデータ線（Ｄ１）の交点に対応して、発光素子（Ｌ１１）と、発光素子（Ｌ１１）を駆動するドライビングトランジスタ（ＤＴ１１）と、このドライビングトランジスタ（ＤＴ１１）を制御するスイッチングトランジスタ（ＳＴ１１）と、キャパシタ（Ｃ１１）と、を備えた電気光学装置であり、発光素子（Ｌ１１）の一端は、陰極（Ａ）に接続されている。ここではドライビングトランジスタ（ＤＴ１１）はｐ型であるため、低電位のデータ信号によりドライビングトランジスタ（ＤＴ１１）の導通が選択され、発光素子（Ｌ１１）は発光状態となる。一方、高電位のデータ信号によりドライビングトランジスタ（ＤＴ１１）の非導通が選択され、発光素子は非発光状態となる。なお、この図に示した画素等価回路では、スイッチングトランジスタ（ＳＴ１１）はｎ型、ドライビングトランジスタ（ＤＴ１１）はｐ型であるが、これには限定されない。
【００２６】図２は、本発明の実施例に係る電気光学装置の配線及び画素配置を示す図である。複数の走査線（Ｓ１、Ｓ２．．．．）および複数のデータ線（Ｄ１、Ｄ２．．．．）により画素がマトリクス状に形成され、各走査線とデータ線との交点に対応して、複数の画素が形成されている。例えば、 Ｓ１とＤ１の交点に対応して画素１１が設けられている。画素は図１に示したようなスイッチングトランジスタ（ＳＴ１１）、キャパシタ（Ｃ１１）、ドライビングトランジスタ（ＤＴ１１）、発光素子（Ｌ１１）を含むものが基本的であるが、画素内に複数の副画素を含んでいるものであっても良い。なお、この図においては電源線を省略している。」
　
（３）「【００２７】図３には、本発明の実施例に係る電気光学装置の駆動方法を示す。なお、ここでは水平走査期間（Ｈ）が２つの副水平走査期間（ＳＨ１及びＳＨ２）から成っており、また、走査信号及びデータ信号は高電位の信号または低電位の信号のいずれかである。走査線（Ｓ１）には第１の走査信号ＳＳ（Ｓ１）が供給され、第２の走査線（Ｓ２）には第２の走査信号ＳＳ（Ｓ２）が供給され、第３の走査線（Ｓ３）には走査信号ＳＳ（Ｓ３）供給される。第１のデータ線Ｄ１には第１のデータ信号ＤＳ（Ｄ１）が供給され、第２のデータ線Ｄ２には第２のデータ信号ＤＳ（Ｄ２）が供給され、第３のデータ線Ｄ３には第３のデータ信号ＤＳ（Ｄ３）が供給される。ＤＳ（Ｄ１）、ＤＳ（Ｄ２）及びＤＳ（Ｄ３）において、斜線で示された部分はセット信号を示し、それ以外の部分はリセット信号を示す。ここでは、セット信号として発光素子を発光状態とする低電位のデータ信号を与えているが、発光素子を非発光状態とする場合は高電位のセット信号を与えれば良い。
【００２８】水平走査期間Ｈ１の副水平走査期間ＳＨ１に、「走査線（Ｓ１）を介してスイッチングトランジスタ（ＳＴ１１）に第１のオン信号を与え、前記第１のオン信号を与える期間に対応してドライビングトランジスタ（ＤＴ１１）の導通または非導通を選択するセット信号をデータ線Ｄ１及びスイッチングトランジスタ（ＳＴ１１）を介してドライビングトランジスタ（ＤＴ１１）に与える」セットステップにより発光素子の発光または非発光を選択する。水平走査期間Ｈ２の副水平走査期間ＳＨ２に「走査線（Ｓ１）を介してスイッチングトランジスタ（ＳＴ１１）に第２のオン信号が与えられ、前記第２のオン信号を与える期間に対応してドライビングトランジスタ（ＤＴ１１）の非導通を選択するリセット信号をデータ線Ｄ１及びスイッチングトランジスタ（ＳＴ１１）を介して前記ドライビングトランジスタ（ＤＴ１１）にリセット信号を与える」リセットステップにより発光素子の非発光を選択する。前記セットステップと前記リセットステップとに対応して、第１行第１列の画素１１における発光期間（Ｅ１）が設定される。なお、信号に対してトランジスタまたは発光素子が応答するのに多少の時間を要することがあるため、この図に示したように発光期間の開始時間と終了時間がそれぞれセットステップの開始時間及びリセットステップの終了時間から多少ずれることがある。また、この図では第１及び第２のオン信号を与える期間とセット及びリセット信号を与える期間とがそれぞれ完全に重なっているが、使用状況やスペックによっては必ずしも完全に重なっている必要がない場合がある。
【００２９】次の走査線（Ｓ２）におけるセットステップ及びリセットステップは、走査線（Ｓ１）におけるセットステップ及びリセットステップとは重ならないように行うが、図３に示したように最も近いタイミングで行うことが好ましい。以下、同様にして、３番目の走査線（Ｓ３）以降の各走査線についてセットステップ及びリセットステップを行い、一つの垂直走査期間が終了後、次の垂直走査期間に移行し、各走査線について同様にセットステップ及びリセットステップを行う。ここでは、発光期間Ｅ１、Ｅ２及びＥ３の長さの比はおよそ１：２：４であるが、これにより０、１、２、３、４、５、６、７の８階調が得られる。」
　
（４）図面の【図１】、【図２】には、複数の走査線（Ｓ１、Ｓ２．．．．）および複数のデータ線（Ｄ１、Ｄ２．．．．）により画素がマトリクス状に形成され、各走査線とデータ線との交点に対応して、複数の画素（１１）が形成され、該画素（１１）は、スイッチングトランジスタ（ＳＴ１１）、キャパシタ（Ｃ１１）、ドライビングトランジスタ（ＤＴ１１）、発光素子（Ｌ１１）を備えた電気光学装置が見て取れる。
　
　上記摘記事項（３）及び図面の【図３】から、
（ａ）水平走査期間Ｈ２の前半の副走査期間（ＳＨ１）に走査線（Ｓ２）に第２の走査信号ＳＳを供給すると共に、該走査線（Ｓ２）接続された画素にデータ線を介してセット信号を供給し、
（ｂ）水平走査期間Ｈ２の後半の副走査期間（ＳＨ２）に走査線（Ｓ１）に第１の走査信号ＳＳを供給すると共に、該走査線（Ｓ１）接続された画素にデータ線を介してリセット信号を供給し、
（ｃ）水平走査期間Ｈ３の前半の副走査期間（ＳＨ１）に走査線（Ｓ３）に第３の走査信号ＳＳを供給すると共に、該走査線（Ｓ３）接続された画素にデータ線を介してセット信号を供給し、
（ｄ）水平走査期間Ｈ２の後半の副走査期間（ＳＨ２）に走査線（Ｓ２）に第２の走査信号ＳＳを供給すると共に、該走査線（Ｓ２）接続された画素にデータ線を介してリセット信号を供給してなる電気光学装置の駆動方法が読み取れる。
　
　上記摘記事項（３）及び図面の【図３】から、
（ｅ）走査線（Ｓ２）を選択した後、次に走査線（Ｓ１）を選択し、
（ｆ）走査線（Ｓ１）を選択した後、次に走査線（Ｓ３）を選択し、
（ｇ）走査線（Ｓ３）を選択した後、次に走査線（Ｓ２）を選択し、
　順次、セット信号の供給と、リセット信号の供給と、セット信号の供給と、リセット信号の供給とを繰り返してなる電気光学装置の駆動方法が読み取れる。
　
　したがって、上記摘記事項（１）〜（４）及び図面の記載から、刊行物２には、以下の発明が記載されているものと認められる。
「複数の走査線（Ｓ１、Ｓ２．．．．）および複数のデータ線（Ｄ１、Ｄ２．．．．）により画素がマトリクス状に形成され、各走査線とデータ線との交点に対応して、複数の画素（１１）が形成され、該画素（１１）は、スイッチングトランジスタ（ＳＴ１１）、キャパシタ（Ｃ１１）、ドライビングトランジスタ（ＤＴ１１）、発光素子（Ｌ１１）を備えた電気光学装置の駆動方法であって、
（ａ）水平走査期間Ｈ２の前半の副走査期間（ＳＨ１）に走査線（Ｓ２）に第２の走査信号ＳＳを供給すると共に、該走査線（Ｓ２）接続された画素にデータ線を介してセット信号を供給し、
（ｂ）水平走査期間Ｈ２の後半の副走査期間（ＳＨ２）に走査線（Ｓ１）に第１の走査信号ＳＳを供給すると共に、該走査線（Ｓ１）接続された画素にデータ線を介してリセット信号を供給し、
（ｃ）水平走査期間Ｈ３の前半の副走査期間（ＳＨ１）に走査線（Ｓ３）に第３の走査信号ＳＳを供給すると共に、該走査線（Ｓ３）接続された画素にデータ線を介してセット信号を供給し、
（ｄ）水平走査期間Ｈ２の後半の副走査期間（ＳＨ２）に走査線（Ｓ２）に第２の走査信号ＳＳを供給すると共に、該走査線（Ｓ２）接続された画素にデータ線を介してリセット信号を供給し、
（ｅ）走査線（Ｓ２）を選択した後、次に走査線（Ｓ１）を選択し、
（ｆ）走査線（Ｓ１）を選択した後、次に走査線（Ｓ３）を選択し、
（ｇ）走査線（Ｓ３）を選択した後、次に走査線（Ｓ２）を選択し、
　順次、セット信号の供給と、リセット信号の供給と、セット信号の供給と、リセット信号の供給とを繰り返してなる電気光学装置の駆動方法。」（以下、「刊行物２に記載された発明」という。）
　
５　対比
　本願発明と刊行物２に記載された発明とを対比すると、
（１）刊行物２に記載された発明の「複数の走査線（Ｓ１、Ｓ２．．．．）」は、本願発明の「複数の第１の信号線」に相当し、以下同様に「複数のデータ線（Ｄ１、Ｄ２．．．．）」は「複数の第２の信号線」に相当する。
　また、刊行物２に記載された発明の「電気光学装置の駆動方法」は、本願発明の「電子装置の駆動方法」と、「装置の駆動方法」に関する点で一致する。
（２）次に、画素（１１）は、スイッチングトランジスタ（ＳＴ１１）、キャパシタ（Ｃ１１）、ドライビングトランジスタ（ＤＴ１１）、発光素子（Ｌ１１）を含んでなることから、刊行物２に記載された発明の「複数の画素（１１）」は、本願発明の「複数の単位回路」に相当する。
（３）刊行物２に記載された発明の「（ａ）水平走査期間Ｈ２の前半の副走査期間（ＳＨ１）に走査線（Ｓ２）に第２の走査信号ＳＳを供給すると共に、該走査線（Ｓ２）接続された画素にデータ線を介してセット信号を供給し」は、本願発明の「前記複数の単位回路のうち、前記複数の第１の信号線のうちの第１の第１の信号線に接続された第１群の単位回路に対してセット動作を行う第１のステップ」に相当し、以下同様に、「（ｂ）水平走査期間Ｈ２の後半の副走査期間（ＳＨ２）に走査線（Ｓ１）に第１の走査信号ＳＳを供給すると共に、該走査線（Ｓ１）接続された画素にデータ線を介してリセット信号を供給し」は、「前記複数の単位回路のうち、前記複数の第１の信号線のうちの前記第１の第１の信号線とは異なる第２の第１の信号線に接続された第２群の単位回路に対してリセット動作を行う第２のステップ」に、「（ｃ）水平走査期間Ｈ３の前半の副走査期間（ＳＨ１）に走査線（Ｓ３）に第３の走査信号ＳＳを供給すると共に、該走査線（Ｓ３）接続された画素にデータ線を介してセット信号を供給し」は、「前記複数の単位回路のうち、前記複数の第１の信号線のうちの第３の第１の信号線に接続された第３群の単位回路に対してセット動作を行う第３のステップ」に、「（ｄ）水平走査期間Ｈ２の後半の副走査期間（ＳＨ２）に走査線（Ｓ２）に第２の走査信号ＳＳを供給すると共に、該走査線（Ｓ２）接続された画素にデータ線を介してリセット信号を供給し、」は、「前記複数の単位回路のうち、前記複数の第１の信号線のうちの前記第３の第１の信号線とは異なる第４の第１の信号線に接続された第４群の単位回路に対してリセット動作を行う第４のステップ」にそれぞれ相当する。
（４）刊行物２の【図３】から明らかなように、例えば、走査線（Ｓ２）の選択と、次に選択される走査線（Ｓ１）の選択との間には、他の走査線に対して何らの選択も行われていないことから、刊行物２に記載された発明の「（ｅ）走査線（Ｓ２）を選択した後、次に走査線（Ｓ１）を選択し、（ｆ）走査線（Ｓ１）を選択した後、次に走査線（Ｓ３）を選択し、（ｇ）走査線（Ｓ３）を選択した後、次に走査線（Ｓ２）を選択し、順次、セット信号の供給と、リセット信号の供給と、セット信号の供給と、リセット信号の供給とを繰り返し」は、本願発明の「前記第１のステップの終了後から前記第２のステップを行うまでの間、前記複数の単位回路のいずれの単位回路に対してもセット動作又はリセット動作を行わず、　前記第２のステップの終了後から前記第３のステップを行うまでの間、前記複数の単位回路のいずれに対してもセット動作又はリセット動作を行わず、　前記第３のステップの終了後から前記第４のステップを行うまでの間、前記複数の単位回路のいずれに対してもセット動作又はリセット動作を行わない」に相当する。
　
　したがって、本願発明と刊行物２に記載された発明とは、
＜一致点＞
「複数の第１の信号線と、複数の第２の信号線と、前記複数の第１の信号線と前記複数の第２の信号線との交差部に対応して配置された複数の単位回路と、を備えた装置の駆動方法であって、
　前記複数の単位回路のうち、前記複数の第１の信号線のうちの第１の第１の信号線に接続された第１群の単位回路に対してセット動作を行う第１のステップと、
　前記複数の単位回路のうち、前記複数の第１の信号線のうちの前記第１の第１の信号線とは異なる第２の第１の信号線に接続された第２群の単位回路に対してリセット動作を行う第２のステップと、
　前記複数の単位回路のうち、前記複数の第１の信号線のうちの第３の第１の信号線に接続された第３群の単位回路に対してセット動作を行う第３のステップと、
　前記複数の単位回路のうち、前記複数の第１の信号線のうちの前記第３の第１の信号線とは異なる第４の第１の信号線に接続された第４群の単位回路に対してリセット動作を行う第４のステップと、を含み、
　前記第１のステップの終了後から前記第２のステップを行うまでの間、前記複数の単位回路のいずれの単位回路に対してもセット動作又はリセット動作を行わず、
　前記第２のステップの終了後から前記第３のステップを行うまでの間、前記複数の単位回路のいずれに対してもセット動作又はリセット動作を行わず、
　前記第３のステップの終了後から前記第４のステップを行うまでの間、前記複数の単位回路のいずれに対してもセット動作又はリセット動作を行わない、
　装置の駆動方法。」の点で一致し、以下の点で一応相違する。
　
＜一応の相違点＞
　本願発明の対象は、「電子装置の駆動方法」であるのに対して、刊行物２に記載された発明の対象は、「電気光学装置の駆動方法」である点。
　
６　判断
　上記一応の相違点について検討するに、「電気光学装置」が、「電子装置」の一実施形態であることは明白である。してみると、上記一応の相違点は、実質的な相違点ではない。
　したがって、本願発明は、刊行物２に記載された発明である。
　
７　むすび
　以上のとおりであるから、本件出願の請求項１に係る発明（本願発明）は、特許法第２９条第１項第３号に該当し、特許を受けることができないものであり、その余の請求項２乃至１３に係る発明についての判断を示すまでもなく、本件出願は、拒絶をすべきものである。
　よって、結論のとおり審決する。